(57)【要約】【課題】  携帯端末において、電子デバイスへのデータ伝送周波数がテレビジョン放送や無線通信におけるアンテナ特性に及ぼす影響を低減することを目的とする。【解決手段】  電波を送信または受信するアンテナ２２４ａと、データ信号の信号処理を行う電子デバイス（表示部２１４）と、データ信号を電子デバイスに伝送する伝送部２５３と、伝送部２５３がデータ信号を電子デバイスに伝送するタイミングを生成するタイミング生成部２６０と、を有し、タイミング生成部２６０は、タイミングを随時変更することを特徴とする。【選択図】    図６
2010130256.tif 000002
【特許請求の範囲】
【請求項１】
電波を送信または受信するアンテナと、
データ信号の信号処理を行う電子デバイスと、
前記データ信号を前記電子デバイスに伝送する伝送部と、
前記伝送部が前記データ信号を前記電子デバイスに伝送するタイミングを生成するタイミング生成部と、を有し、
前記タイミング生成部は、前記タイミングを随時変更することを特徴とする携帯端末。
【請求項２】
前記伝送部は、前記データ信号をセットアップする信号セットアップ処理と、該信号セットアップ処理によりセットアップされた前記データ信号を前記電子デバイスに書き込む信号書込処理とを交互に行うことで前記データ信号を前記電子デバイスに伝送し、
前記タイミング生成部は、前記信号セットアップ処理のタイミングおよび前記信号書込処理のタイミングを生成すると共に、これらのタイミングの少なくとも一方を随時変更することを特徴とする請求項１に記載の携帯端末。
【請求項３】
前記タイミング生成部は、タイミングを変更した場合の所定時間内における前記信号セットアップ処理の処理回数または前記信号書込処理の処理回数が、タイミングを変更しなかった場合の前記所定時間内の処理回数と同一となるように、タイミングを変更することを特徴とする請求項２に記載の携帯端末。
【請求項４】
前記伝送部は所定の周波数のクロック信号を生成し、
前記所定時間は、前記クロック信号の周期の整数倍であることを特徴とする請求項３に記載の携帯端末。
【請求項５】
前記所定時間内における前記信号セットアップ処理の処理回数および前記信号書込処理の処理回数は、それぞれ１回であることを特徴とする請求項４に記載の携帯端末。
【請求項６】
前記アンテナにより送信または受信された電波に係る信号の処理を行う通信信号処理部と、
前記通信信号処理部により処理された前記電波に係る信号に基づいて所定の機能を動作する機能動作部と、
前記機能動作部により前記所定の機能が動作されると、前記タイミング生成部により前記データ信号を前記電子デバイスに伝送するタイミングを随時変更する制御部と、を有することを特徴とする請求項１ないし請求項５のいずれか１項に記載の携帯端末。
【発明の詳細な説明】
【技術分野】
【０００１】
本発明は、電子デバイスにデータを読み込ませる携帯端末に関する。
【背景技術】
【０００２】
電気回路内を流れる信号はアナログ的に見れば電流と電圧の脈動であり、信号を流すことによって回路から電磁波を生じ、また周辺から到達する電磁波によって回路内に起電力を生じることはよく知られている。このような電磁波は一般に外乱とよばれており、信号を流すとき外乱の発生源となり、信号を読み取る場合は外乱がノイズ源となる。外乱を出さない、または受けないための工夫としては、電線を導電体で被覆したり、回路パターンをグランドパターンで囲ったりすることが行われてきた。しかし電気回路がアナログからデジタルに移行したことにより、多少のノイズが混じったとしても信号を明確に解釈することが可能となったことから、従前よりは外乱によるノイズに対する耐性が向上してきている。
【０００３】
携帯電話端末やＰＨＳ（Personal Handy phone System）端末等の携帯端末は、近年急速に発達してきている典型的なデジタル機器である。携帯端末では、プログラム処理もデジタルであるが、電気回路内もデジタル信号がやりとりされている。そのため、内部の電気回路としては、比較的外乱に強くなっている。
【０００４】
また携帯端末において、シリアル通信とパラレル通信が混在して用いられる場合がある。例えば二つ折り式の携帯端末では、ヒンジ部に通す信号線を少なくするためにシリアル通信を利用し、表示部側の筐体内においてシリアル−パラレル変換して、表示部（ＬＣＤ（Liquid Crystal Display）モジュール）に対してパラレル信号を伝送する構成が知られている。
【０００５】
図９は、従来の携帯端末１０における携帯制御部１２と表示部１４とのインタフェースの一例を示した機能ブロック図である。図９において、携帯端末１０の携帯制御部１２と表示部１４との間では高速シリアル伝送が実行され、携帯制御部１２から出力されたパラレルデータは、シリアル変換部１６によって一旦シリアルデータに変換される。
【０００６】
表示部１４側では、かかるシリアルデータを受信したシフトレジスタ１８の出力データがバッファ部２０でセットアップされ、表示部１４にパラレルデータとして伝送される。このようにしてパラレルデータを取得した表示部１４は、携帯制御部１２が出力した所望の画像を表示することができる（例えば、特許文献１）。
【特許文献１】特開２００６−２１０９９２号公報
【発明の開示】
【発明が解決しようとする課題】
【０００７】
しかし、これらの携帯端末においても、電波を用いる場合には、依然として外乱を考慮せざるを得ない。デジタル通信であったとしても、電波自体はアナログ的な電磁波の強弱であり、また電磁波による微弱な起電力を増幅して受信しているためである。特に携帯端末自身の内部から生じる外乱は、そのアンテナおよび増幅回路に無視できない影響を生じ、アンテナ特性の劣化の原因となっている。特に特許文献１のようにシリアル通信とパラレル通信が混在する場合において、パラレル通信は複数の線を用いて一度に信号を送信するため、強い外乱を出しやすい。
【０００８】
上述した従来技術において、例えば、携帯制御部１２から８．６８ＭＨｚの周期で８ビットのパラレルデータを表示部１４に伝送しようと試みた場合、シリアル変換部１６では、その８．６８ＭＨｚの周期を８逓倍した６９．４４ＭＨｚの伝送クロックを用いて８ビットのデータを伝送する。そして、表示部１４側では、シフトレジスタ１８とバッファ部２０によって、受信したシリアルデータを８分周し、周期が８．６８ＭＨｚの元のパラレルデータに戻している。
【０００９】
従って、表示部１４側では、携帯制御部１２側のデータ伝送周波数に依存した８．６８ＭＨｚで表示部１４の更新が実行される。しかし、表示部１４の更新をこのような８．６８ＭＨｚで固定的に実行すると、その周波数の電磁波、および整数倍の周波数の高調波が外乱として発生し、他の信号に影響を及ぼすことがある。
【００１０】
例えば、地上波デジタルによるテレビジョン放送を受信可能な携帯端末１０では、データ伝送周波数８．６８ＭＨｚの５９次５１２．１２ＭＨｚの高調波または６０次５２０．８ＭＨｚの高調波がテレビジョン放送（物理チャンネル２０ｃｈ）の５１５．１４ＭＨｚに干渉し、映像や音声を劣化させていた。
【００１１】
かかるテレビジョン放送への干渉を回避するため、表示部１４の許容される範囲内でデータ伝送周波数を変更することも考えられるが、地上波デジタル放送の周波数は約４７０〜７７０ＭＨｚと幅が大きく、テレビジョン放送のすべての物理チャンネルにおいて多次の高調波による干渉を回避するのは困難である。全物理チャンネルで高調波を回避するには、テレビジョン放送の帯域がほぼ３００ＭＨｚであるから、ＬＣＤのデータ伝送周波数を３００ＭＨｚ以上とし、かつ整数倍の高調波がテレビジョン放送の対域内に入らないように設定しなくてはならない。しかし、これを実現するのは非常に困難である。
【００１２】
また、ＣＤＭＡ（Code Division Multiple Access）等の無線通信方式によって基地局と通信接続することが可能な携帯端末１０においても、上記同様、データ伝送周波数８．６８ＭＨｚの高調波が、ＣＤＭＡの電波の受信帯域８４３ＭＨｚ〜８７５ＭＨｚに影響を及ぼすこととなる。
【００１３】
特に可搬性を重視した携帯端末１０は、小型化、軽量化が図られ、電気素子同士の間隔を十分にとることができず、電気素子の配置によってはデータ伝送周波数の影響を多大に受けてしまう。
【００１４】
同様の事態は、表示部（ＬＣＤ）に限らず、外部メモリに対するリード・ライトなどでも発生しうる。
【００１５】
本発明は、このような問題に鑑み、表示部等の電子デバイスへのデータ伝送周波数がテレビジョン放送や無線通信におけるアンテナ特性に及ぼす影響を低減することが可能な携帯端末を提供することを目的としている。
【課題を解決するための手段】
【００１６】
上記課題を解決するために、本発明の携帯端末の代表的な構成は、電波を送信または受信するアンテナと、データ信号の信号処理を行う電子デバイスと、データ信号を電子デバイスに伝送する伝送部と、伝送部がデータ信号を電子デバイスに伝送するタイミングを生成するタイミング生成部と、を有し、タイミング生成部は、タイミングを随時変更することを特徴とする。
【００１７】
伝送部は、データ信号をセットアップする信号セットアップ処理と、信号セットアップ処理によりセットアップされたデータ信号を電子デバイスに書き込む信号書込処理とを交互に行うことでデータ信号を電子デバイスに伝送し、タイミング生成部は、信号セットアップ処理のタイミングおよび信号書込処理のタイミングを変更すると共に、これらのタイミングの少なくとも一方を随時変更してもよい。
【００１８】
タイミング生成部は、タイミングを変更した場合の所定時間内における信号セットアップ処理の処理回数または信号書込処理の処理回数が、タイミングを変更しなかった場合の所定時間内の処理回数と同一となるように、タイミングを変更してもよい。
【００１９】
伝送部は所定の周波数のクロック信号を生成し、所定時間は、クロック信号の周期の整数倍であってもよい。
【００２０】
所定時間内における信号セットアップ処理の処理回数および信号書込処理の処理回数は、それぞれ１回であってもよい。
【００２１】
アンテナにより送信または受信された電波に係る信号の処理を行う通信信号処理部と、通信信号処理部により処理された電波に係る信号に基づいて所定の機能を動作する機能動作部と、機能動作部により所定の機能が動作されると、タイミング生成部によりデータ信号を電子デバイスに伝送するタイミングを随時変更する制御部と、を有していてもよい。
【発明の効果】
【００２２】
以上のように本発明では、表示部等の電子デバイスへのデータ伝送周波数がテレビジョン放送や無線通信におけるアンテナ特性に及ぼす影響を低減することができ、テレビジョン放送や無線通信の受信感度を向上することが可能となる。
【発明を実施するための最良の形態】
【００２３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（無線通信システム１００）
図１は、無線通信システム１００の概略的な接続関係を示した説明図である。当該無線通信システム１００は、携帯端末１１０と、携帯端末１１０のアクセスポイントとしての基地局１２０と、基地局１２０に接続されＩＳＤＮ(Integrated Services Digital Network)回線、インターネット、専用回線等で構成される通信網１３０と、通信網１３０に接続された管理サーバ１４０と、地上波デジタル放送を発信する放送局１５０と、を含んで構成される。
【００２５】
当該無線通信システム１００において、携帯端末１１０は、管理サーバ１４０の管理の下、基地局１２０を通じて他の携帯端末１１０との通話や通信を実行できる。また、その他の無線機構として放送局１５０からテレビジョン放送（ワンセグ放送）を受信でき、テレビ番組を視聴することが可能である。このような携帯端末１１０は小型化、軽量化が望まれているにも拘わらず、多様化の要望もあり、小さな占有空間に様々な電気素子が密接して配されている。携帯端末１１０では、このような電気素子の密接した配置によって、テレビジョン放送の受信信号や基地局１２０との無線信号が、内部の電子デバイスにおけるデータ伝送周波数の影響を多大に受けてしまう。
【００２６】
本実施形態では、このようなデータ伝送周波数がテレビジョン放送や無線通信に及ぼす影響を低減することで、テレビジョン放送や無線通信の受信感度を向上することを目的としている。以下、携帯端末１１０の具体的な構成を述べる。
【００２７】
（携帯端末１１０）
図２は、携帯端末１１０のハードウェア構成を示した機能ブロック図であり、図３は、携帯端末１１０の外観を示した斜視図である。携帯端末１１０は、制御部の例としての携帯制御部２１０と、携帯メモリ２１２と、電子デバイスの例としての表示部２１４と、操作部２１６と、音声入力部２１８と、音声出力部２２０と、無線通信部２２２と、通信信号処理部の例としての放送受信部２２４とを含んで構成される。
【００２８】
かかる携帯端末１１０としては、携帯電話端末、ＰＨＳ端末、ノート型パーソナルコンピュータ、ＰＤＡ（Personal Digital Assistant）、デジタルカメラ、音楽プレイヤー、カーナビゲーション、ＰＮＤ（Personal Navigation Device）、ゲーム機器、ＤＶＤプレイヤー、リモートコントローラ等無線通信可能な様々な携帯端末を用いることができる。本実施形態では、携帯端末１１０として携帯電話端末を挙げて説明する。
【００２９】
携帯制御部２１０は、中央処理装置（ＣＰＵ）を含む半導体集積回路により携帯端末１１０全体を管理および制御し、携帯メモリ２１２のプログラムを用いて、通話機能、メール送受信機能、撮像機能、音楽再生機能、ＴＶ視聴機能も遂行する。すなわち携帯制御部２１０は、放送受信部２２４により処理された電波に係る信号に基づいて所定の機能を動作する機能動作部としても動作する。また、後述するタイミング生成部２６０に対してタイミングを変更するか否かを制御する。
【００３０】
携帯メモリ２１２は、ＲＯＭ、ＲＡＭ、ＥＥＰＲＯＭ、不揮発性ＲＡＭ、フラッシュメモリ、ＨＤＤ等で構成され、携帯制御部２１０で処理されるプログラムや通信データ等を記憶する。また、携帯メモリ２１２は、後述する第１タイミングおよび第２タイミングを変更するための複数の時間区分群を示す変更テーブル２３０も記憶している。かかる変更テーブル２３０に関しては、後程詳述する。
【００３１】
表示部２１４は、液晶ディスプレイ、ＥＬ(Electro Luminescence)ディスプレイ等とそのコントローラで構成され、後述する放送受信部２２４で受信されたテレビジョン放送の他、携帯メモリ２１２に記憶された、または通信網１３０を介してＷｅｂサーバ（図示せず）から提供される動画データ、Ｗｅｂコンテンツ、アプリケーションのＧＵＩ（Graphical User Interface）等を表示することができる。本実施形態では、電子デバイスとして、かかる表示部２１４を挙げて説明する。
【００３２】
操作部２１６は、キーボード、十字キー、ジョイスティック等の可動スイッチで構成され、ユーザの操作入力を受け付ける。
【００３３】
音声入力部２１８は、マイク等の音声認識手段で構成され、通話時に入力されたユーザの音声を携帯端末１１０内で処理可能な電気信号に変換する。音声出力部２２０は、スピーカで構成され、携帯端末１１０で受信した通話相手の音声信号を音声に変えて出力する。また、音声出力部２２０は、着信音や、操作部２１６の操作音、アラーム音等も出力できる。
【００３４】
無線通信部２２２は、ＣＤＭＡやＷｉＭＡＸ（Worldwide Interoperability for Microwave Access）等の無線通信方式を通じて基地局１２０との無線通信を確立し、通信相手との音声通信やＷｅｂサーバとのデータ通信を遂行する。
【００３５】
放送受信部２２４（通信信号処理部）は、アンテナにより送信または受信された電波に係る信号の処理を行う。電波の例としてテレビジョン放送を挙げると、かかるテレビジョン放送が地上波デジタルテレビジョン放送の場合、１３ｃｈから６２ｃｈまでの各物理チャンネルにそれぞれ異なる周波数が割当てられており、例えば、物理チャンネル１３ｃｈは、中心周波数４７３．１４２８５７ＭＨｚ、下限周波数４７２．９２８５７１ＭＨｚ、上限周波数４７３．３５７１４３ＭＨｚと規定されている。
【００３６】
本実施形態では、かかる放送受信部２２４で受信した放送データを、携帯制御部２１０を介し、電子デバイスとしての表示部２１４に表示する。このとき、携帯制御部２１０と表示部２１４との接続は、一部、高速シリアルデータ通信によって為される。これは、主として、携帯端末１１０における信号線数の削減やノイズの低減を目的としたものである。以下、かかる高速シリアルデータ通信を含む放送データの表示動作を説明する。
【００３７】
図４は、放送データの表示動作を説明するための機能ブロック図である。かかる機能ブロックは、電波を送受信するアンテナ２２４ａを有する放送受信部２２４と、携帯制御部２１０と、シリアル変換部２５０と、クロック送信部２５２と、伝送部２５３と、タイミング生成部２６０と、データ信号の信号処理を行う電子デバイスの例としての表示部２１４とを含んで構成される。伝送部２５３はデータ信号を表示部２１４に伝送するものであって、クロック受信部２５４と、シフトレジスタ２５６と、バッファ部２５８とを有している。
【００３８】
携帯制御部２１０は、放送受信部２２４が受信したテレビジョン放送から表示部２１４の表示形式に合わせた画像データを生成する。かかる画像データは、８ビット単位で１ピクセルを表す。ここでは、画像データのビット長を８としているが、そのビット長はアプリケーションに応じて任意に定めることができる。
【００３９】
シリアル変換部２５０は、携帯制御部２１０からの８ビットの画像データ（パラレルデータ）をシリアルデータに変換し、後述するクロック送信部２５２で生成された伝送クロックに基づいて出力する。かかるシリアルデータには、画像データのみならず、パリティビットなどのチェックサムを含ませることもできる。かかるシリアル変換部２５０により、最小限の信号線数で携帯制御部２１０から表示部２１４に画像データを確実に伝送することができ、ノイズの低減を図ることが可能となる。
【００４０】
クロック送信部２５２は、ＰＬＬ（Phase Locked Loop）等で構成され、画像データ（パラレルデータ）のデータ伝送周波数、例えば８．６８ＭＨｚを、データビット長、例えば８で逓倍した伝送クロック（６９．４４ＭＨｚ）を生成し、シリアル変換部２５０によって生成されたシリアルデータを表示部２１４側で同期させるべく、シリアル変換部２５０の基準信号となると共に、クロック受信部２５４に出力される。
【００４１】
クロック受信部２５４は、ＰＬＬ等で構成され、クロック送信部２５２からの伝送クロックに同期した同期クロックを生成する。ここでは、クロック送信部２５２からの伝送クロックと同期する例を挙げているが、シリアル変換部２５０および後述するシフトレジスタ２５６が共通の基準クロック、例えばシステムクロックを受信できる場合、そのシステムクロックを用いて同期をとることもできる。
【００４２】
シフトレジスタ２５６は、クロック受信部２５４が生成した同期クロックに基づいて、シリアル変換部２５０からシリアルデータを受信し、バッファ部２５８にパラレルデータを出力するためシリアルデータをシフトする。ここでは、クロック送信部２５２で生成された伝送クロック６９．４４ＭＨｚがデータビット長８で分周され、データ伝送周波数８．６８ＭＨｚが再度生成される。
【００４３】
バッファ部２５８は、データビット長、ここでは８のセットアップ回路で構成され、後述するタイミング生成部２６０が生成した第１タイミングでシフトレジスタ２５６の出力（パラレルデータ）をセットアップし（信号セットアップ処理）、次の第１タイミングまで維持する。
【００４４】
タイミング生成部２６０は、伝送部２５３がデータ信号を表示部２１４に伝送するタイミングを生成する。詳しくは、信号セットアップ処理を行う第１タイミングと、信号書込処理を行う第２タイミングとを生成する。第２タイミングにおいては、信号セットアップ処理によりセットアップされたデータ信号を表示部２１４に書き込む（信号書込処理）。本実施形態において、かかる第１タイミングと第２タイミングとは１つの離散信号で示され、例えば、一方を信号の立ち下がりタイミングとすると、他方が立ち上がりタイミングとなる。すなわち、伝送部２５３は信号セットアップ処理と信号書込処理とを交互に行うことでデータ信号を電子デバイスに伝送する。
【００４５】
図５は、比較例として第１タイミングと第２タイミングを固定した従来の表示動作を示したタイミングチャートである。ここで、タイミング生成部２６０は、データ伝送周波数から同期クロック３００を所定クロック数分、固定的に遅延させた第１タイミングと第２タイミングを１つの離散信号３０２で実現している。
【００４６】
かかる離散信号３０２における第１タイミングは、バッファ部２５８のセットアップタイミングとなるので、バッファ部２５８の出力３０４は、図５のように、第１タイミングで更新され、次の第１タイミングまで維持される。
【００４７】
また、離散信号３０２における第２タイミングは、表示部２１４に読み込ませるタイミングとなる。表示部２１４は、その画像データの読み込みのため、バッファ部２５８の出力３０４が安定するまでのデータセットアップタイム３０６と、その出力３０４を維持するデータホールドタイム３０８とを確保しなくてはならない。従って、タイミング生成部２６０は、バッファ部２５８が画像データをセットアップした後、表示部２１４の仕様によって決まるデータセットアップタイム３０６とデータホールドタイム３０８とを確保できるタイミング（第２タイミング）でバッファ部２５８の出力３０４を表示部２１４に入力３１０させる。
【００４８】
しかし、このように固定的に生成された第１タイミングと第２タイミングによる離散信号３０２は、携帯制御部２１０におけるデータ伝送周波数である８．６８ＭＨｚを固定的に形成してしまい（周波数３１２）、その高調波がテレビジョン放送や無線通信の受信感度に影響を及ぼすこととなる。
【００４９】
そこで、本実施形態において、タイミング生成部２６０は、表示部２１４へのデータ伝送周波数に対して、第１タイミングおよび第２タイミングの少なくとも一方を随時変更する。
【００５０】
図６は、本実施形態における表示動作を示したタイミングチャートである。伝送部２５３は所定の周波数のクロック信号（同期クロック３００）を生成しており、タイミング生成部２６０は、同期クロック３００に基づいて第１タイミングおよび第２タイミングを生成する。かかる第１タイミングおよび第２タイミングを、表示部２１４へのデータ伝送周波数とデータビット長との積で表される同期クロック（伝送クロック）に基づいて生成することで、データ伝送周波数より高い周波数を別途生成しなくても第１タイミングおよび第２タイミングを確保することが可能となる。
【００５１】
図６においても、タイミング生成部２６０は、第１タイミングと第２タイミングを１つの離散信号３０２で実現しているが、図５と相異し、第１タイミングと第２タイミングを変動させている。かかる離散信号３０２において括弧で表される数値は、データ伝送周波数のデータ境界から第１タイミングまでの伝送クロック数Ｔａ、第１タイミングから第２タイミングまでの伝送クロック数Ｔｂ、第２タイミングからデータ伝送周波数のデータ境界までの伝送クロック数Ｔｃのクロック数を示す。
【００５２】
バッファ部２５８の出力３０４は、かかる変更された第１タイミングで更新され、次の第１タイミングまで維持される。表示部２１４も、変更された第２タイミングに従って、バッファ部２５８の出力３０４を入力３１０する。
【００５３】
このように、タイミング生成部２６０が、第１タイミングおよび第２タイミングをデータ伝送周波数と相対的に変化させると、データ伝送周波数８．６８ＭＨｚが複数の周波数に分散される。図６の例では、８クロック周期の波形に加えて、７クロックの波形および９クロックの波形が生成されるので、タイミング生成部２６０により形成される離散信号３０２の周波数３１２は、８．６８ＭＨｚ×８／９、８．６８ＭＨｚ、８．６８ＭＨｚ×８／７の３種類が生成される。
【００５４】
このように、伝送部２５３による表示部２１４へのデータ信号の伝送の周波数が固定的でなくなるため、伝送に起因する外乱およびその高調波の周波数が分散し、各周波数における電磁波の強さが全体的に低減される。これにより、表示部２１４へのデータ伝送周波数がテレビジョン放送や無線通信におけるアンテナ特性に及ぼす影響を低減することができ、テレビジョン放送や無線通信の受信感度を向上することが可能となる。
【００５５】
また上記の例では、タイミングを変更しない場合のデータ伝送周波数（伝送間隔）を所定時間とし、所定時間内における信号セットアップ処理の処理回数および信号書込処理の処理回数を、それぞれ１回としている。すなわち、本来のデータ伝送周波数の範囲内で伝送タイミングを変更している。表示部２１４へのデータの総合的な伝送タイミングは変わらず、表示部２１４はデータ伝送周波数を逸脱することなく画像データを入力することができる。したがって、電子デバイスが許容する周波数の幅が狭い場合であっても正常に動作し、本来の機能を達成することができる。
【００５６】
さらに、本実施形態では、表示部２１４にデータを読み込ませるためのデータセットアップタイム（Ｔｂ）およびデータホールドタイム（Ｔｃ＋Ｔａ）として、表示部２１４の仕様に適合した十分な長さを確保しているので、第１タイミングおよび第２タイミングを変動させたとしても表示部２１４への入力の欠落を伴うことはない。
【００５７】
なお、所定時間は、必ずしもタイミングを変更しない場合のデータ伝送周波数と一致させる必要はなく、伝送部２５３および表示部２１４が動作可能であり、動画再生などの本来の機能を達成しうる周波数であればよい。ただし所定時間は、同期クロック３００の周期の整数倍とすることが好ましい。これにより、制御方法を大幅に変更することなくタイミングを変更することが可能となる。
【００５８】
また、上記の例では第１タイミングと第２タイミングの両方を変更するように説明しているが、これらのタイミングの少なくとも一方を変更すれば、データ伝送周波数を分散させることができる。ただし、両方のタイミングを随時変更することにより、より周波数を分散させることができ、効果的にアンテナ特性の劣化を低減させることができる。
【００５９】
上述した例において、第１タイミングおよび第２タイミングは、表示部２１４の仕様に適合するデータセットアップタイム（Ｔｂ）およびデータホールドタイム（Ｔｃ＋Ｔａ）を確保しさえすれば、そのタイミングは任意であり、ランダムに選択することができる。しかし、第１タイミングおよび第２タイミングが無作為に変動すると、所定の周波数に偏る可能性もある。そこで、携帯メモリ２１２に、後述する変更テーブル２３０を設け、タイミング生成部２６０に、かかる変更テーブル２３０に従って、第１タイミングおよび第２タイミングを周期的に変更させることもできる。
【００６０】
図７は、変更テーブル２３０を説明するための説明図である。タイミング生成部２６０は、かかる変更テーブル２３０を参照して第１タイミングおよび第２タイミングを生成する。変更テーブル２３０には、第１タイミングおよび第２タイミングを変更するための時間区分群、即ち、データ伝送周波数のデータ境界から第１タイミングまでの伝送クロック数Ｔａ、第１タイミングから第２タイミングまでの伝送クロック数Ｔｂ、第２タイミングからデータ伝送周波数のデータ境界までの伝送クロック数Ｔｃが複数段示され、図７中、左に示された変更順に従って、データ伝送周波数毎に繰り返し変更される。
【００６１】
ここでは、Ｔａ、Ｔｂ、Ｔｃに（３、３、２）（４、２、２）の組合せを用いているが、かかる場合に限られず、表示部２１４の仕様に適合するデータセットアップタイム（Ｔｂ）およびデータホールドタイム（Ｔｃ＋Ｔａ）を確保でき、かつ、その伝送クロックの合計（Ｔａ＋Ｔｂ＋Ｔｃ）がデータビット長である８（同期クロック８個分）と等しければ、様々な数値を組み合わせることができる。
【００６２】
かかる構成により、第１タイミングおよび第２タイミングの変化に周期性を持たせることができ、データ伝送周波数を安定したレベルで複数の周波数に分散させることが可能となる。従って、表示部２１４へのデータ伝送周波数がテレビジョン放送や無線通信の受信感度に及ぼす影響を安定的に低減することができる。
【００６３】
なお、所定時間として本来のデータ伝送周波数の１つ分ではなく、さらに長い時間（例えば３つ分）を設定してもよい。かかる場合においてタイミング生成部２６０は、タイミングを変更した場合の所定時間内における信号セットアップ処理の処理回数または信号書込処理の処理回数が、タイミングを変更しなかった場合の所定時間内の処理回数と同一となるように、タイミングを変更すればよい。伝送のタイミングを変更するとき、過度に早くすると表示部２１４に負荷がかかり、過度に遅くすると伝送の遅れが生じるおそれがある。しかし上記のように、所定時間単位でタイミングを変更しなかった場合と同一回数の伝送を行うことにより、平均的なデータ伝送周波数は同じになるため、表示部２１４が正常に動作し、本来の機能を達成することができる。
【００６４】
また、携帯制御部２１０は、電波に係る信号に基づいて所定の機能（ＴＶ視聴機能など）の動作を開始した場合にタイミング生成部２６０を制御して、データ信号を表示部２１４に伝送するタイミングを随時変更するように構成してもよい。すなわち、常にタイミングの変更を行うのではなく、電波の受信を行う場合にのみタイミングの変更を行うことでもよい。これにより不要なタイミング変更を抑制し、処理を軽減することができるため、省電力化を図ることができる。
【００６５】
図８は、本実施形態による携帯端末１１０の効果を示したスペクトル図である。第１タイミングおよび第２タイミングが固定の場合における、図８中点線で示したスペクトルでは、データ伝送周波数８．６８ＭＨｚの高調波３５０が大きくなり、テレビジョン放送や無線通信に影響していた。しかし、本実施形態の、第１タイミングおよび第２タイミングを変動させる構成を採用した図８中実線で示したスペクトルでは、他の周波数の高調波が新たに加わるものの、データ伝送周波数８．６８ＭＨｚの高調波３５０が矢印のように低減され、図８に示す周波数帯全体における高調波の影響が携帯端末として許容できる水準まで低減される。
【００６６】
また、小型化、軽量化が進む当該携帯端末１１０においては、テレビジョン放送の放送受信部２２４や無線通信の無線通信部２２２と、表示部２１４との間隔を十分にとることができず、データ伝送周波数の影響が大きくなる。本実施形態では、データ伝送周波数がテレビジョン放送や無線通信に及ぼす影響を低減することで、このような電気素子同士の間隔を十分にとることができない状況においても、携帯端末１１０の安定した動作を図ることが可能となる。
【００６７】
さらに、高調波の周波数がテレビジョン放送や無線通信の受信帯域近傍に入り、悪影響を及ぼしていた場合を考慮して実装されていたノイズ対策部品の点数を削減することができ、コスト低減にも寄与する。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６９】
例えば、上述した実施形態においては、電子デバイスとして表示部２１４を挙げて説明したが、かかる場合に限られず、外部メモリなどの周期的にデータを書き込む様々な電子機器または電子素子を適用することができる。
【００７０】
また、上述した実施形態においては、データの伝送経路の一部に高速シリアルデータ通信を用いているがかかる場合に限られず、一貫してシリアルデータまたはパラレルデータを伝送する伝送経路にも当然にして適用することができる。
【産業上の利用可能性】
【００７１】
本発明は、シリアルデータまたはパラレルデータを用いたデータ通信を行う携帯端末に利用可能である。
【図面の簡単な説明】
【００７２】
【図１】無線通信システムの概略的な接続関係を示した説明図である。
【図２】携帯端末のハードウェア構成を示した機能ブロック図である。
【図３】携帯端末の外観を示した斜視図である。
【図４】放送データの表示動作を説明するための機能ブロック図である。
【図５】比較例として第１タイミングと第２タイミングを固定した従来の表示動作を示したタイミングチャートである。
【図６】本実施形態における表示動作を示したタイミングチャートである。
【図７】変更テーブルを説明するための説明図である。
【図８】本実施形態による携帯端末の効果を示したスペクトル図である。
【図９】従来の携帯端末における携帯制御部と表示部とのインタフェースの一例を示した機能ブロック図である。
【符号の説明】
【００７３】
１０…携帯端末、１００…無線通信システム、１１０…携帯端末、１２…携帯制御部、１２０…基地局、１３０…通信網、１４…表示部、１４０…管理サーバ、１５０…放送局、１６…シリアル変換部、１８…シフトレジスタ、２０…バッファ部、２１０…携帯制御部、２１２…携帯メモリ、２１４…表示部、２１６…操作部、２１８…音声入力部、２２０…音声出力部、２２２…無線通信部、２２４…放送受信部、２２４ａ…アンテナ、２３０…変更テーブル、２５０…シリアル変換部、２５２…クロック送信部、２５３…伝送部、２５４…クロック受信部、２５６…シフトレジスタ、２５８…バッファ部、２６０…タイミング生成部、３００…同期クロック
【図１】
2010130256.tif 000003
【図２】
2010130256.tif 000004
【図３】
2010130256.tif 000005
【図４】
2010130256.tif 000006
【図５】
2010130256.tif 000007
【図６】
2010130256.tif 000008
【図７】
2010130256.tif 000009
【図８】
2010130256.tif 000010
【図９】
2010130256.tif 000011